【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
端末装置と、前記端末装置と通信可能なサーバー装置とを備えた店舗紹介システムであって、
前記端末装置は、
前記サーバー装置と通信可能な端末通信手段と、
飲食物に含まれる栄養素の含有量及びカロリーを含む食品栄養データを取得する食品栄養データ取得手段と、
ユーザーのバイタルデータを取得するバイタルデータ取得手段と、を備え、
前記サーバー装置は、
前記端末装置と通信可能なサーバー通信手段と、
店舗が提供する飲食物の栄養素及びカロリーを記憶する店舗情報記憶手段と、
前記端末装置から受信した前記食品栄養データ及び前記バイタルデータに基づいて、前記ユーザーが摂取すべき栄養素及びカロリーの過不足量を算出する過不足算出手段と、
前記過不足算出手段が算出した前記ユーザーが摂取すべき栄養素及びカロリーの過不足量に基づいて、前記店舗情報記憶手段から、前記ユーザーが摂取すべき栄養素及びカロリーの過不足を補う飲食物を提供可能な店舗を検索する店舗検索手段と、
検索された前記店舗を紹介する紹介データを紹介する店舗紹介手段と、
を備えたことを特徴とする店舗紹介システム。
【請求項２】
請求項１に記載の店舗紹介システムにおいて、
前記店舗検索手段に記憶された前記店舗に設置され、前記サーバー装置と通信可能な店舗端末装置を備え、
前記端末装置は、前記サーバー装置から送信された前記紹介データに対して、当該紹介データで紹介された前記店舗での飲食を予約する旨の予約要求情報を送信する予約要求手段を備え、
前記サーバー装置は、前記端末装置から前記予約要求情報を受信すると、前記店舗端末装置に前記予約要求情報を送信する予約転送手段を備え、
前記店舗端末装置は、前記サーバー装置から送信された前記予約要求情報を受信して予約を受け付ける予約受付手段を備える
ことを特徴とする店舗紹介システム。
【請求項３】
請求項２に記載の店舗紹介システムにおいて、
前記サーバー装置は、前記店舗端末装置に、前記予約要求情報とともに前記バイタルデータを送信する
ことを特徴とする店舗紹介システム。
【請求項４】
請求項２または請求項３に記載の店舗紹介システムにおいて、
前記サーバー装置は、前記店舗端末装置に、前記予約要求情報とともに、前記過不足算出手段が算出した前記ユーザーが摂取すべき栄養素及びカロリーの過不足量を送信する
ことを特徴とする店舗紹介システム。
【請求項５】
請求項１から請求項４のいずれかに記載の店舗紹介システムにおいて、
前記サーバー装置は、前記ユーザーの健康目標を取得する健康目標取得手段を備え、
前記過不足算出手段は、前記健康目標に基づいて、前記ユーザーが摂取すべき栄養素及びカロリーの過不足量を算出する
ことを特徴とする店舗紹介システム。
【請求項６】
請求項１から請求項５のいずれかに記載の店舗紹介システムにおいて、
前記端末装置は、前記食品栄養データを測定する食品栄養データ測定手段を備え、
前記食品栄養データ測定手段は、
前記飲食物により反射された光から所定波長の光を分光する分光素子と、
前記分光素子により分光された光を受光し分光画像を撮像する撮像部と、
前記分光画像に基づいて前記飲食物の成分分析を実施し、栄養素の含有量及びカロリーを算出する算出部と、を備える
ことを特徴とする店舗紹介システム。
【請求項７】
端末装置と通信可能なサーバー通信手段と、
店舗が提供する飲食物の栄養素及びカロリーを記憶する店舗情報記憶手段と、
前記端末装置から受信した、飲食物に含まれる栄養素の含有量及びカロリーを含む食品栄養データ及びユーザーのバイタルデータに基づいて、前記ユーザーが摂取すべき栄養素及びカロリーの過不足量を算出する過不足算出手段と、
前記過不足算出手段が算出した前記ユーザーが摂取すべき栄養素及びカロリーの過不足量に基づいて、前記店舗情報記憶手段から、前記ユーザーが摂取すべき栄養素及びカロリーの過不足を補う飲食物を提供可能な店舗を検索する店舗検索手段と、
検索された前記店舗を紹介する紹介データを紹介する店舗紹介手段と、
を備えることを特徴とするサーバー装置。
【請求項８】
サーバー装置と通信可能な端末通信手段と、
飲食物に含まれる栄養素の含有量及びカロリーを含む食品栄養データを取得する食品栄養データ取得手段と、
ユーザーのバイタルデータを取得するバイタルデータ取得手段と、を備え、
前記端末通信手段は、前記ユーザーが摂取した飲食物の食品栄養データ及び前記バイタルデータを前記サーバー装置に送信し、前記サーバー装置から、前記ユーザーが摂取した飲食物の食品栄養データ及び前記バイタルデータに基づいて算出された前記ユーザーが摂取すべき栄養素及びカロリーの過不足を補う飲食物を提供可能な店舗を紹介する紹介データを受信する
ことを特徴とする端末装置。
【請求項９】
コンピューターにより構成される端末装置と、前記端末装置と通信可能に接続され、コンピューターにより構成されるサーバー装置とを備えた店舗紹介システムにおける店舗紹介方法であって、
前記端末装置は、
食品栄養データ測定手段により飲食物に含まれる栄養素の含有量及びカロリーを含む食品栄養データを取得し、
ユーザーのバイタルデータを取得し、
前記食品栄養データ及び前記バイタルデータを前記サーバー装置に送信し、
前記サーバー装置は、
前記端末装置から前記食品栄養データ及び前記バイタルデータを受信し、
受信した前記食品栄養データ及び前記バイタルデータに基づいて、前記ユーザーが摂取した栄養素及びカロリーの過不足量を算出し、
店舗が提供する飲食物の栄養素を記憶する店舗情報記憶手段から、前記ユーザーが摂取すべき栄養素及びカロリーの過不足を補う飲食物を提供可能な店舗を検索し、
検索された前記店舗を紹介する紹介データを前記端末装置に送信する
ことを特徴とする店舗紹介方法。
【請求項１０】
コンピューターにより店舗を検索する店舗検索方法であって、
前記コンピューターは、
食品栄養データ取得手段により飲食物に含まれる栄養素の含有量及びカロリーを含む食品栄養データを取得し、
ユーザーのバイタルデータを取得し、
前記食品栄養データ及び前記バイタルデータに基づいて、前記ユーザーが摂取した栄養素及びカロリーの過不足量を算出し、
店舗が提供する飲食物の栄養素のデータに基づいて、前記ユーザーが摂取すべき栄養素及びカロリーの過不足を補う飲食物を提供可能な店舗を検索する
ことを特徴とする店舗検索方法。
【請求項１１】
端末装置と通信可能なコンピューターにより読み取り実行される店舗紹介プログラムであって、
前記コンピューターに、
前記端末装置から飲食物に含まれる栄養素の含有量及びカロリーを含む食品栄養データ及びユーザーのバイタルデータを受信させ、
前記食品栄養データ及び前記バイタルデータに基づいて、前記ユーザーが摂取すべき栄養素及びカロリーの過不足量を算出させ、
店舗が提供する飲食物の栄養素及びカロリーを記憶する店舗情報記憶手段から、算出された前記ユーザーが摂取すべき栄養素及びカロリーの過不足量に基づいて、前記ユーザーが摂取すべき栄養素及びカロリーの過不足を補う飲食物を提供可能な店舗を検索させ、
検索された前記店舗を紹介する紹介データを前記端末装置に送信させる
ことを特徴とする店舗紹介プログラム。
【請求項１２】
サーバー装置と通信可能なコンピューターにより読み取り実行される店舗紹介プログラムであって、
前記コンピューターに、
飲食物に含まれる栄養素の含有量及びカロリーを含む食品栄養データを取得させ、
ユーザーのバイタルデータを取得させ、
前記ユーザーが摂取した飲食物の食品栄養データ及び前記バイタルデータを前記サーバー装置に送信し、前記サーバー装置から、前記ユーザーが摂取した飲食物の食品栄養データ及び前記バイタルデータに基づいて算出された前記ユーザーが摂取すべき栄養素及びカロリーの過不足を補う飲食物を提供可能な店舗を紹介する紹介データを受信させる
ことを特徴とする店舗紹介プログラム。
【手続補正２】
【補正対象書類名】明細書
【補正対象項目名】発明の名称
【補正方法】変更
【補正の内容】
【発明の名称】店舗紹介システム、サーバー装置、端末装置、店舗紹介方法、店舗検索方法、及び店舗紹介プログラム
【手続補正３】
【補正対象書類名】明細書
【補正対象項目名】０００１
【補正方法】変更
【補正の内容】
【０００１】
本発明は、店舗紹介システム、サーバー装置、端末装置、店舗紹介方法、店舗検索方法、及び店舗紹介プログラムに関する。
【手続補正４】
【補正対象書類名】明細書
【補正対象項目名】０００５
【補正方法】変更
【補正の内容】
【０００５】
本発明は、ユーザーの健康状態に応じた飲食店を提供する店舗を検索可能な店舗紹介システム、サーバー装置、端末装置、店舗紹介方法、店舗検索方法、及び店舗紹介プログラムを提供することを目的とする。